【手続補正書】
【提出日】平成20年7月16日(2008.7.16)
【手続補正１】
【補正対象書類名】明細書
【補正対象項目名】特許請求の範囲
【補正方法】変更
【補正の内容】
【特許請求の範囲】
【請求項１】
複数の画素電極、複数のゲート線、複数のゲート線及び複数の導電線を含み、前記各導電線は２つの隣接した前記ゲート線の間に配置されている第１基板と、
前記第１基板と対向する第２基板と、
前記第１基板と前記第２基板との間に挟持されている液晶層と、
前記第１基板と前記第２基板のうちの少なくとも１つに形成されている複数のドメイン規制手段と、
を含み、前記複数のドメイン規制手段は前記ゲート線に対して傾いている第１及び第２ドメイン規制手段を含み、前記導電線の第１部分は第１画素の画素電極の一部と重なっており、前記導電線の第２部分は第２画素の画素電極の一部と重なっている液晶表示装置。
【請求項２】
前記第１及び第２ドメイン規制手段は前記ゲート線に対して４５°の角度をなす、請求項１に記載の液晶表示装置。
【請求項３】
前記第１ドメイン規制手段及び第２ドメイン規制手段、または前記第１ドメイン規制手段の仮想の延長線及び第２ドメイン規制手段の仮想の延長線は交差する、請求項１に記載の液晶表示装置。
【請求項４】
少なくとも１つの前記第１ドメイン規制手段、または少なくとも１つの前記第２ドメイン規制手段は切開部である、請求項３に記載の液晶表示装置。
【請求項５】
前記第１及び第２ドメイン規制手段は、前記ゲート線と前記導電線との間にあり、前記ゲート線と平行な第１線に対して対称をなす、請求項１に記載の液晶表示装置。
【請求項６】
前記第１基板上に配置されている第１偏光板と、前記第２基板上に配置されている第２偏光板とを更に含み、第１及び第２ドメイン規制手段は前記第１偏光板と第２偏光板の偏光軸に対して４５°の角度をなす、請求項１に記載の液晶表示装置。
【請求項７】
前記第１画素の画素電極は、第１薄膜トランジスタの第１ドレイン電極に接続されており、前記第２画素の画素電極は、第２薄膜トランジスタの第１ドレイン電極に接続されている、請求項６に記載の液晶表示装置。
【請求項８】
前記第１薄膜トランジスタと前記第２薄膜トランジスタはそれぞれ第２ドレイン電極を含み、前記第１薄膜トランジスタと前記第２薄膜トランジスタの前記第２ドレイン電極はそれぞれ第３画素電極と第４画素電極に接続されている、請求項７に記載の液晶表示装置。
【請求項９】
第１画素電極と第１ゲート線を含む第１画素と、第２画素電極と第２ゲート線を含む第２画素と、前記第１ゲート線と前記第２ゲート線との間に配置されており、前記第１画素電極の一部と重なっている第１部分と前記第２画素電極の一部と重なっている第２部分を含む第１導電線とを含む第１基板と、
前記第１基板と対向する第２基板と、
前記第１基板と前記第２基板との間に挟持されている液晶層と、
を含み、前記液晶層の液晶分子は電場がない場合、前記第１基板及び前記第２基板の表面に対して実質的に垂直になるように配向されている液晶表示装置。
【請求項１０】
前記第１画素電極は第１薄膜トランジスタの第１ドレイン電極に接続されており、前記第２画素電極は第２薄膜トランジスタの第１ドレイン電極に接続されている、請求項９に記載の液晶表示装置。
【請求項１１】
前記第１薄膜トランジスタと前記第２薄膜トランジスタはそれぞれ第２ドレイン電極を含み、前記第１薄膜トランジスタと前記第２薄膜トランジスタの前記第２ドレイン電極はそれぞれ第３画素電極と第４画素電極に接続されている、請求項１０に記載の液晶表示装置。
【請求項１２】
前記第１基板と前記第２基板のうちの少なくとも１つに形成されている複数のドメイン規制手段を更に含み、前記複数のドメイン規制手段は少なくとも前記第１画素電極を複数のドメインに分割するための第１及び第２ドメイン規制手段を含む、請求項９に記載の液晶表示装置。
【請求項１３】
前記第１及び第２ドメイン規制手段は前記第１及び第２ゲート線に対して傾いている、請求項１２に記載の液晶表示装置。
【請求項１４】
前記第１及び第２ドメイン規制手段は前記第１ゲート線と前記第１導電線との間に配置されており、実質的にＶ字形状をなす、請求項１３に記載の液晶表示装置。
【請求項１５】
前記第１及び第２ドメイン規制手段は前記第１及び第２ゲート線に対して４５°の角度をなす、請求項１３に記載の液晶表示装置。
【請求項１６】
前記第１及び第２ドメイン規制手段は前記第１ゲート線と前記第１導電線との間にあり、前記第１ゲート線と平行な仮想の第１線に対して対称をなす、請求項１２に記載の液晶表示装置。
【請求項１７】
前記第１基板上に配置されている第１偏光板と前記第２基板上に配置されている第２偏光板を更に含み、第１及び第２ドメイン規制手段は前記第１偏光板と第２偏光板の偏光軸に対して４５°の角度をなす、請求項１２に記載の液晶表示装置。
【請求項１８】
前記第１導電線は維持電極線である、請求項１２に記載の液晶表示装置。
【請求項１９】
第１画素電極と第１ゲート線を含む第１画素と、第２画素電極と第２ゲート線を含む第２画素と、前記第１ゲート線と前記第２ゲート線との間に配置されており、前記第１画素電極の一部と重なっている第１部分と前記第２画素電極の一部と重なっている第２部分を含む第１導電線と、前記第１画素と隣接し、第２導電線と重なっている部分を有する第３画素電極を含む第３画素とを含む第１基板と、
前記第１基板と対向する第２基板と、
前記第１基板と前記第２基板との間に挟持されている液晶層と、
を含み、前記第１画素と前記第３画素に同一の電圧を印加した場合、前記第３画素が表示する階調値は前記第１画素が表示する階調値と異なる液晶表示装置。
【請求項２０】
前記第１基板と前記第２基板のうちの少なくとも１つに形成されている複数のドメイン規制手段を更に含み、前記複数のドメイン規制手段は少なくとも前記第１画素電極を複数のドメインに分割するための第１及び第２ドメイン規制手段を含む、請求項１９に記載の液晶表示装置。
【請求項２１】
前記第１及び第２ドメイン規制手段は前記第１及び第２ゲート線に対して傾いている、請求項２０に記載の液晶表示装置。
【請求項２２】
前記第１及び第２ドメイン規制手段は前記第１及び第２ゲート線に対して４５°の角度をなす、請求項２０に記載の液晶表示装置。
【請求項２３】
前記第１及び第２ドメイン規制手段は前記第１ゲート線と前記第１導電線との間にあり、前記第１ゲート線と平行な仮想の第１線に対して対称をなす、請求項２０に記載の液晶表示装置。
【請求項２４】
前記第１基板上に配置されている第１偏光板と前記第２基板上に配置されている第２偏光板を更に含み、第１及び第２ドメイン規制手段は前記第１偏光板と第２偏光板の偏光軸に対して４５°の角度をなす、請求項２０に記載の液晶表示装置。
【請求項２５】
前記液晶層の液晶分子は電場がない場合、前記第１基板及び前記第２基板の表面に対して実質的に垂直になるように配向されている、 請求項１９に記載の液晶表示装置。
【請求項２６】
第１導電線の第１部分と第１画素電極の一部が重なっており、第１導電線の第２部分と第３画素電極の一部が重なっており、第２導電線の一部が前記第２画素電極の一部と重なっており、また、第１画素が前記第１画素電極を含み、第２画素が前記第２画素電極を含む液晶表示装置において、
前記第１画素電極と前記第１画素電極と隣接した前記第２画素電極に第１データ電圧を印加する段階と、
前記第３画素電極に第２データ電圧を印加する段階と、
前記第１画素と前記第２画素において互いに異なる階調値を表示する段階と、
を含む液晶表示装置の駆動方法。
【請求項２７】
前記第１導電線と前記第２導電線のうちの少なくとも１つは維持電極線である、請求項２６に記載の液晶表示装置の駆動方法。
【請求項２８】
第１画素電極と第１ゲート線を含む第１画素と、第２画素電極と第２ゲート線を含む第２画素と、前記第１画素電極の一部と重なっている第１部分と前記第２画素電極の一部と重なっている第２部分を含み、可変電圧の印加を受ける導電線とを含む第１基板と、
前記第１基板と対向する第２基板と、
前記第１基板と前記第２基板のうちの少なくとも１つに形成されている複数のドメイン規制手段と、
前記第１基板と前記第２基板との間に挟持されている液晶層と、
を含む液晶表示装置。
【請求項２９】
前記複数のドメイン規制手段は前記第１及び第２ゲート線に対して傾いている第１及び第２ドメイン規制手段を含む、請求項２８に記載の液晶表示装置。
【請求項３０】
前記第１ドメイン規制手段及び第２ドメイン規制手段、または前記第１ドメイン規制手段の仮想の延長線及び第２ドメイン規制手段の仮想の延長線は交差する、請求項２９に記載の液晶表示装置。
【請求項３１】
前記複数のドメイン規制手段は、前記第１ゲート線と前記導電線との間または前記第２ゲート線と前記導電線との間に配置されており、Ｖ字形状をなす、請求項２８に記載の液晶表示装置。
【請求項３２】
第１絶縁基板と、
前記第１絶縁基板上に形成されている第１及び第２ゲート線と、
前記第１絶縁基板上に形成されており、前記第１及び第２ゲート線と交差するデータ線と、
前記第１ゲート線と前記データ線に電気的に接続されている第１薄膜トランジスタと、
前記第２ゲート線と前記データ線に電気的に接続されている第２薄膜トランジスタと、
前記第１薄膜トランジスタに接続されている第１画素電極と、
前記第２薄膜トランジスタに接続されている第２画素電極と、
前記第１画素電極及び前記第２画素電極と重なっている導電体パターンと、
前記第１絶縁基板と対向する第２絶縁基板と、
前記第２絶縁基板上に形成されている共通電極と、
前記第１基板と前記第２基板との間に挟持されており、前記第１画素電極上の第１液晶領域と前記第２画素電極上の第２液晶領域を含む液晶層と、
を含み、前記液晶層の液晶分子は電場がない場合、前記第１基板及び前記第２基板の表面に対して実質的に垂直になるように配向されている液晶表示装置。
【請求項３３】
前記導電体パターンは維持電極線である、請求項３２に記載の液晶表示装置。
【請求項３４】
前記第１基板と前記第２基板のうちの少なくとも１つに形成されており、前記第１液晶領域と前記第２液晶領域を複数のドメインに分割するためのドメイン分割部材を更に含む、請求項３３に記載の液晶表示装置。
【請求項３５】
前記ドメイン分割部材は前記第１画素電極の第１ドメイン分割部材と前記共通電極の第２ドメイン分割部材を含む、請求項３４に記載の液晶表示装置。
【請求項３６】
前記第１ドメイン分割部材と前記第２ドメイン分割部材は交互に配置されており、前記第１ゲート線に対して傾いた斜線部を含む、請求項３５に記載の液晶表示装置。
【請求項３７】
前記第１画素電極は前記第１画素電極と前記第２画素電極が占める全体面積の５０〜８０％を占有する、請求項３６に記載の液晶表示装置。
【請求項３８】
前記第１ゲート線及び前記データ線に電気的に接続されている第３薄膜トランジスタと、
前記第２ゲート線及び前記データ線に電気的に接続されている第４薄膜トランジスタと、
前記第３薄膜トランジスタに接続されている第３画素電極と、
前記第４薄膜トランジスタに接続されている第４画素電極と、
を更に含む、請求項３７に記載の液晶表示装置。
【請求項３９】
前記第１ゲート線及び前記データ線に電気的に接続されている第３薄膜トランジスタと、
前記第２ゲート線及び前記データ線に電気的に接続されている第４薄膜トランジスタと、
前記第３薄膜トランジスタに接続されている第３画素電極と、
前記第４薄膜トランジスタに接続されている第４画素電極と、
を更に含む、請求項３２に記載の液晶表示装置。
【請求項４０】
第１絶縁基板と、
前記第１絶縁基板上に形成されている第１及び第２ゲート線と、
前記第１絶縁基板上に形成されており、前記第１及び第２ゲート線と交差するデータ線と、
前記第１ゲート線と前記データ線に電気的に接続されている第１薄膜トランジスタと、
前記第２ゲート線と前記データ線に電気的に接続されている第２薄膜トランジスタと、
前記第１薄膜トランジスタに接続されている第１画素電極と、
前記第２薄膜トランジスタに接続されている第２画素電極と、
前記第１画素電極及び前記第２画素電極と重なっている導電体パターンと、
前記第１絶縁基板と対向する第２絶縁基板と、
前記第２絶縁基板上に形成されている共通電極と、
前記第１基板と前記第２基板との間に挟持されており、前記第１画素電極上の第１液晶領域と前記第２画素電極上の第２液晶領域を含む液晶層と、
を含み、前記第１画素電極と前記第２画素電極のうちの少なくとも１つは前記第１ゲート線に対して傾いている第１ドメイン分割部材を有する液晶表示装置。
【請求項４１】
前記第２基板上に形成されており、前記第１液晶領域と前記第２液晶領域を複数のドメインに分割するための第２ドメイン分割部材を更に含む、請求項４０に記載の液晶表示装置。
【請求項４２】
第１絶縁基板と、
前記第１絶縁基板上に形成されている第１信号線と、
前記第１絶縁基板上に形成されている第２信号線と、
前記第１絶縁基板上に形成されており、前記第１及び第２信号線と交差する第３信号線と、
前記第１信号線と前記第３信号線に電気的に接続されている第１薄膜トランジスタと、
前記第２信号線と前記第３信号線に電気的に接続されている第２薄膜トランジスタと、
前記第１薄膜トランジスタに接続されている第１画素電極と、
前記第２薄膜トランジスタに接続されている第２画素電極と、
前記第１絶縁基板と対向する第２絶縁基板と、
前記第２絶縁基板上に形成されている共通電極と、
前記第１基板と前記第２基板との間に挟持されており、前記第１画素電極上の第１液晶領域と前記第２画素電極上の第２液晶領域を含む液晶層と、
前記第１信号線と前記第２信号線との間に配置されており、前記第１画素電極の一部と重なっている第１部分と前記第２画素電極の一部と重なっている第２部分を含む導電線と、
前記第１基板と前記第２基板のうちの少なくとも１つに形成されており、前記第１液晶領域と前記第２液晶領域を複数のドメインに分割するためのドメイン分割部材と、
を含む液晶表示装置。
【請求項４３】
前記ドメイン分割部材は前記第１及び第２信号線に対して傾いた第１ドメイン分割部材と第２ドメイン分割部材とを含む、 請求項４２に記載の液晶表示装置。
【請求項４４】
前記第１画素電極は前記第１画素電極と前記第２画素電極が占める全体面積の５０〜８０％を占有する、請求項４２に記載の液晶表示装置。
【請求項４５】
前記第２薄膜トランジスタは、前記第１薄膜トランジスタが活性化した後に活性化される、請求項４２に記載の液晶表示装置。
【請求項４６】
前記第１液晶領域と前記第２液晶領域のドメインは第１方向ドメインと第２方向ドメインとを含み、前記第１方向ドメインと第２方向ドメインに含まれている液晶分子の平均方向子は前記第１及び第２信号線に対して４５°をなす、請求項４３に記載の液晶表示装置。
【請求項４７】
前記第１基板の外側表面に配置されており、前記第１信号線と平行な偏光軸を有する第１偏光板と、
前記第２基板の外側表面に配置されており、前記第１偏光板の偏光子と交差する偏光軸を有する第２偏光板と、
を更に含む、請求項４６に記載の液晶表示装置。